(57)【要約】      （修正有）【課題】保温性に優れた繊維製品素材を用いたマスクを提供する。【解決手段】繊維製品に用いる素材として形成された繊維製品素材は、略１３００℃から略１６００℃の高温で燃焼された籾殻から抽出された植物性ブラックケイ素が混在されている。この繊維製品素材を用いてマスクを提供する。植物ブラックケイ素が混在されている繊維製品素材は、２６．５℃以上になることにより、テラヘルツ波が放射され、テラヘルツ波で人体において約４℃の温度上昇が可能となり、顕著な保温効果を有する。【選択図】図１
0003230587.tif 000002
【実用新案登録請求の範囲】
【請求項１】
繊維製品に用いる素材として形成された繊維製品素材であって、
略１３００℃から略１６００℃の高温で燃焼された籾殻から抽出された植物性ブラックケイ素を混在することで前記素材として形成されていることを特徴とする繊維製品素材。
【請求項２】
請求項１に記載の植物性ブラックケイ素が混在されている繊維製品素材を用いた下着であって、
前記植物性ブラックケイ素が、身体の温度により上昇し、前記上昇で発生するテラヘルツ波により、保温性を有することを特徴とする下着。
【請求項３】
請求項１に記載の植物性ブラックケイ素が混在されている繊維製品素材を用いたマスクであって、
前記植物性ブラックケイ素が、身体の温度により上昇し、前記上昇で発生するテラヘルツ波により、保温性を有することを特徴とするマスク。
【請求項４】
請求項１に記載の植物性ブラックケイ素が混在されている繊維製品素材を用いた靴下であって、
前記植物性ブラックケイ素が、身体の温度により上昇し、前記上昇で発生するテラヘルツ波により、保温性を有することを特徴とする靴下。
【請求項５】
請求項１に記載の植物性ブラックケイ素が混在されている繊維製品素材を用いたストッキングであって、
前記植物性ブラックケイ素が、身体の温度により上昇し、前記上昇で発生するテラヘルツ波により、保温性を有することを特徴とするストッキング。
【請求項６】
請求項１に記載の植物性ブラックケイ素が混在されている繊維製品素材を用いたブラジャーであって、
前記植物性ブラックケイ素が、身体の温度により上昇し、前記上昇で発生するテラヘルツ波により、保温性を有することを特徴とするブラジャー。
【請求項７】
請求項１に記載の植物性ブラックケイ素が混在されている繊維製品素材を用いたズボン下であって、
前記植物性ブラックケイ素が、身体の温度により上昇し、前記上昇で発生するテラヘルツ波により、保温性を有することを特徴とするズボン下。
【請求項８】
請求項１に記載の植物性ブラックケイ素が混在されている繊維製品素材を用いたマフラーであって、
前記植物性ブラックケイ素が、身体の温度により上昇し、前記上昇で発生するテラヘルツ波により、保温性を有することを特徴とするマフラー。
【請求項９】
請求項１に記載の植物性ブラックケイ素が混在されている繊維製品素材を用いた腹巻であって、
前記植物性ブラックケイ素が、身体の温度により上昇し、前記上昇で発生するテラヘルツ波により、保温性を有することを特徴とする腹巻。
【請求項１０】
請求項１に記載の植物性ブラックケイ素が混在されている繊維製品素材を用いた手袋であって、
前記植物性ブラックケイ素が、身体の温度により上昇し、前記上昇で発生するテラヘルツ波により、保温性を有することを特徴とする手袋。
【請求項１１】
請求項１に記載の植物性ブラックケイ素が混在されている繊維製品素材を用いた靴中敷きであって、
前記植物性ブラックケイ素が、身体の温度により上昇し、前記上昇で発生するテラヘルツ波により、保温性を有することを特徴とする靴中敷き。
【考案の詳細な説明】
【技術分野】
【０００１】
本考案は、繊維製品素材、下着、マスク、靴下、ストッキング、ブラジャー、ズボン下、マフラー、腹巻、手袋及び靴中敷きに関する。
【背景技術】
【０００２】
従来、繊維製品に用いる素材において、保温性の改善が求められていた（特許文献１参照）。
【先行技術文献】
【特許文献】
【０００３】
【特許文献１】特開２００５−１５２２０３号公報
【考案の概要】
【考案が解決しようとする課題】
【０００４】
しかし、上記の繊維製品に用いる素材である生地は、例えば、希土類などの磁性粉末と樹脂を配合して形成した磁性体を小突起状に繊維織物生地に印着させたものであり、保温性において十分なものではなかった。
【０００５】
本考案は、こうした点に鑑みてなされたものであり、保温性に優れた繊維製品素材、これを用いた下着、マスク、靴下、ストッキング、ブラジャー、ズボン下、マフラー、腹巻、手袋及び靴中敷きを提供することである。
【課題を解決するための手段】
【０００６】
上記課題を解決するために、本考案に係る繊維製品素材は、繊維製品に用いる素材として形成された繊維製品素材であって、略１３００℃から略１６００℃の高温で燃焼された籾殻から抽出された植物性ブラックケイ素を混在することで前記素材として形成されていることを特徴とする。
【０００７】
上記課題を解決するために、本考案に係る下着は、上記の植物性ブラックケイ素が混在されている繊維製品素材を用いた下着であって、前記植物性ブラックケイ素が、身体の温度により上昇し、前記上昇で発生するテラヘルツ波により、保温性を有することを特徴とする。
【０００８】
上記課題を解決するために、本考案に係るマスクは、上記の植物性ブラックケイ素が混在されている繊維製品素材を用いたマスクであって、前記植物性ブラックケイ素が、身体の温度により上昇し、前記上昇で発生するテラヘルツ波により、保温性を有することを特徴とする。
【０００９】
上記課題を解決するために、本考案に係る靴下は、上記の植物性ブラックケイ素が混在されている繊維製品素材を用いた靴下であって、前記植物性ブラックケイ素が、身体の温度により上昇し、前記上昇で発生するテラヘルツ波により、保温性を有することを特徴とする。
【００１０】
上記課題を解決するために、本考案に係るストッキングは、上記の植物性ブラックケイ素が混在されている繊維製品素材を用いたストッキングであって、前記植物性ブラックケイ素が、身体の温度により上昇し、前記上昇で発生するテラヘルツ波により、保温性を有することを特徴とする。
【００１１】
上記課題を解決するために、本考案に係るブラジャーは、上記の植物性ブラックケイ素が混在されている繊維製品素材を用いたブラジャーであって、前記植物性ブラックケイ素が、身体の温度により上昇し、前記上昇で発生するテラヘルツ波により、保温性を有することを特徴とする。
【００１２】
上記課題を解決するために、本考案に係るズボン下は、上記の植物性ブラックケイ素が混在されている繊維製品素材を用いたズボン下であって、前記植物性ブラックケイ素が、身体の温度により上昇し、前記上昇で発生するテラヘルツ波により、保温性を有することを特徴とする。
【００１３】
上記課題を解決するために、本考案に係るマフラーは、上記の植物性ブラックケイ素が混在されている繊維製品素材を用いたマフラーであって、前記植物性ブラックケイ素が、身体の温度により上昇し、前記上昇で発生するテラヘルツ波により、保温性を有することを特徴とする。
【００１４】
上記課題を解決するために、本考案に係る腹巻は、上記の植物性ブラックケイ素が混在されている繊維製品素材を用いた腹巻であって、前記植物性ブラックケイ素が、身体の温度により上昇し、前記上昇で発生するテラヘルツ波により、保温性を有することを特徴とする。
【００１５】
上記課題を解決するために、本考案に係る手袋は、上記の植物性ブラックケイ素が混在されている繊維製品素材を用いた手袋であって、前記植物性ブラックケイ素が、身体の温度により上昇し、前記上昇で発生するテラヘルツ波により、保温性を有することを特徴とする。また、上記課題を解決するために、本考案に係る靴中敷きは、上記の植物性ブラックケイ素が混在されている繊維製品素材を用いた靴中敷きであって、前記植物性ブラックケイ素が、身体の温度により上昇し、前記上昇で発生するテラヘルツ波により、保温性を有することを特徴とする。
【考案の効果】
【００１６】
本考案によれば、保温性に優れた繊維製品素材、これを用いた下着、マスク、靴下、ストッキング、ブラジャー、ズボン下、マフラー、腹巻、手袋及び靴中敷きを提供することができる。
【図面の簡単な説明】
【００１７】
【図１】実施形態の繊維製品素材を用いたマスクの一例を示す模式図である。
【考案を実施するための形態】
【００１８】
以下、本考案の繊維製品素材、これを用いた下着、マスク、靴下、ストッキング、ブラジャー、ズボン下、マフラー、腹巻、手袋及び靴中敷きに係る実施形態を説明する。図１は、本考案の実施形態の植物性ブラックケイ素が混在されている繊維製品素材、例えば不織布、シート状の織物などを用いたマスクの一例を示す参考図であるが、本考案は、この図に限定されず適宜最適な構成にすればよい。
【００１９】
まず、本考案に用いる籾殻から抽出された植物性ブラックケイ素について説明する。
【００２０】
籾殻を燃焼させることで植物性ケイ素を製造することができる。しかし燃焼温度を高温にすることができず、例えば７００℃以下の燃焼であり、このような温度での籾殻の燃焼では、炭素との混合体となってしまい、つまり抽出された植物性ケイ素の純度が低く、品質上の問題があり、また利用価値がないという問題があった。
【００２１】
本考案は、籾殻を、例えば、略１３００℃から略１６００℃の高温で燃焼することにより抽出された植物性ブラックケイ素を用いることに着想したものである。このような高温で燃焼された籾殻は、完全燃焼されており、この完全燃焼された籾殻に含まれる植物性ケイ素が、高純度の植物性ブラックケイ素となる。
【００２２】
そして、このような植物性ブラックケイ素を連続的に生成し、高純度及び高品質な植物性ブラックケイ素を効率的に製造することが可能となっている。このように製造する方法については、籾殻を燃焼させ上記の高温になるように特殊な吹上をすることなどがあるが、ここでは詳細な説明は省略する。
【００２３】
このような植物性ブラックケイ素は、発がん性のない構成であり、人体にたいして安全に使用できるものと考えられている。そして、この植物性ブラックケイ素は、上記のような方法で籾殻の燃焼状態及び燃焼温度を安定化させ、高品質な植物性ブラックケイ素を大量に効率的に製造することができることにより、本考案の構成として着目したものである。
【００２４】
本考案は、上記のとおり籾殻を上記の高温で燃焼することにより製造された植物性ブラックケイ素に着目し、これを用いて製品の開発を行っているが、これは一例であり、燃焼の温度を限定せずに、適宜最適な燃焼温度で籾殻を燃焼させて植物性ブラックケイ素を製造すればよい。また、この例では、植物性ブラックケイ素を製造する原料として籾殻を用いているが、これは一例であり、籾殻以外の最適な原料を適宜用いて本考案に用いる植物性ブラックケイ素を製造してもよい。
【００２５】
このように本考案は、籾殻を上記の高温で燃焼した籾殻から抽出された植物性ブラックケイ素に着目し、繊維製品素材、これを用いた下着、マスク、靴下、ストッキング、ブラジャー、ズボン下、マフラー、腹巻、手袋及び靴中敷きにたいして、この植物性ブラックケイ素を混在、つまり含有、含浸、付着、インクに含ませ印刷するなどの方法で混在させることにより具現化している。
【００２６】
以上本考案の構成要素である植物性ブラックケイ素について説明したが、以下本考案の各構成について説明する。
【００２７】
まず、本考案の基本である繊維製品に用いる素材として形成された繊維製品素材について説明する。
【００２８】
本考案の繊維製品素材は、上記の略１３００℃から略１６００℃の高温で燃焼された籾殻から抽出された植物性ブラックケイ素を、繊維に混在することで形成されている。
【００２９】
繊維製品素材は、例えば、生地から形成されており、この生地は、不織布、織物または編物などであり、通常シート状に形成されている。このような植物性ブラックケイ素が混在されている繊維製品素材は、例えば、人体の体温で２６．５℃以上になることにより、顕著な効果がある。
【００３０】
この顕著な効果は、テラヘルツ波が放射されることであり、すなわち、このテラヘルツ波で、例えば、人体において約４℃の温度上昇が可能となり、顕著な保温効果などを有していることが分る。また、この繊維製品素材を用いることで、人の発する波動と同期する、つまり近似している周波数の波動がでることより、保温促進、血流促進効果などが期待できる。また、この繊維製品素材は、使用方法により、肌荒れ防止、肌の若返り、疾病の予防、抑制などの顕著な効果を期待できるものである。
【００３１】
次に、上記の植物性ブラックケイ素が混在されている繊維製品素材を用いた構成として具現化した本考案について説明する。
【００３２】
本考案の下着は、上記の植物性ブラックケイ素が混在されている繊維製品素材を用いて形成されている。このような構成を有する本考案の下着は、身体に着用することにより、体温で上昇し、この上昇により植物性ブラックケイ素の温度が、２６．５℃以上になり、この植物性ブラックケイ素からテラヘルツ波が放出される。
【００３３】
このテラヘルツ波により、下着が着用されている身体の部分の温度が、例えば、略４℃上昇する。テラヘルツ波は、一般的に、身体の表面のみならず奥まで浸透し、上記の温度上昇の効果を奏することが分かっている。本考案の下着を着用することにより、上記の顕著な効果により、着用された身体の部分の保温が促進され、血流が促進されることになる。このような本考案の下着を用いることで、例えば、厚着をすることなく、風邪の予防、抑制などが期待できるものである。
【００３４】
本考案のマスクは、上記の植物性ブラックケイ素が混在されている繊維製品素材を用いて形成されている。このような構成を有する本考案のマスクは、顔、つまり口や鼻を覆うように着用することにより、体温で上昇し、この上昇により植物性ブラックケイ素の温度が、２６．５℃以上になり、この植物性ブラックケイ素からテラヘルツ波が放出される。
【００３５】
このテラヘルツ波により、マスクが使用されている顔の部分の温度が、例えば、略４℃上昇する。テラヘルツ波は、一般的に、身体の表面のみならず奥まで浸透し、上記の温度上昇の効果を奏することが分かっている。本考案のマスクを着用することにより、上記の顕著な効果により、マスクが使用されている部分の保温が促進され、血流が促進されることになる。このような本考案のマスクを用いることで、例えば、風邪の予防、抑制などが期待できるものである。
【００３６】
本考案の靴下は、上記の植物性ブラックケイ素が混在されている繊維製品素材を用いて形成されている。このような構成を有する本考案の靴下は、足に着用することにより、体温で上昇し、この上昇により植物性ブラックケイ素の温度が、２６．５℃以上になり、この植物性ブラックケイ素からテラヘルツ波が放出される。
【００３７】
このテラヘルツ波により、靴下が着用されている身体の部分の温度が、例えば、略４℃上昇する。テラヘルツ波は、一般的に、身体の表面のみならず奥まで浸透し、上記の温度上昇の効果を奏することが分かっている。本考案の靴下を着用することにより、上記の顕著な効果により、着用された身体の部分の保温が促進され、血流が促進されることになる。このような本考案の靴下を用いることで、例えば、足の保温が促進され健康維持などが期待できるものである。
【００３８】
本考案のストッキングは、上記の植物性ブラックケイ素が混在されている繊維製品素材を用いて形成されている。このような構成を有する本考案のストッキングは、下半身に着用することにより、体温で上昇し、この上昇により植物性ブラックケイ素の温度が、２６．５℃以上になり、この植物性ブラックケイ素からテラヘルツ波が放出される。
【００３９】
このテラヘルツ波により、ストッキングが着用されている身体の部分の温度が、例えば、略４℃上昇する。テラヘルツ波は、一般的に、身体の表面のみならず奥まで浸透し、上記の温度上昇の効果を奏することが分かっている。本考案のストッキングを着用することにより、上記の顕著な効果により、着用された身体の部分の保温が促進され、血流が促進されることになる。このような本考案のストッキングを用いることで、例えば、足の保温が促進され健康維持などが期待できるものである。
【００４０】
本考案のブラジャーは、上記の植物性ブラックケイ素が混在されている繊維製品素材を用いて形成されている。このような構成を有する本考案のブラジャーは、身体に着用することにより、体温で上昇し、この上昇により植物性ブラックケイ素の温度が、２６．５℃以上になり、この植物性ブラックケイ素からテラヘルツ波が放出される。
【００４１】
このテラヘルツ波により、ブラジャーが着用されている身体の部分の温度が、例えば、略４℃上昇する。テラヘルツ波は、一般的に、身体の表面のみならず奥まで浸透し、上記の温度上昇の効果を奏することが分かっている。本考案のブラジャーを着用することにより、上記の顕著な効果により、着用された身体の部分の保温が促進され、血流が促進されることになる。このような本考案のブラジャーを用いることで、例えば、保温が促進され健康維持や疾病の抑制などが期待できるものである。
【００４２】
本考案のズボン下は、上記の植物性ブラックケイ素が混在されている繊維製品素材を用いて形成されている。このような構成を有する本考案のズボン下は、下半身に着用することにより、体温で上昇し、この上昇により植物性ブラックケイ素の温度が、２６．５℃以上になり、この植物性ブラックケイ素からテラヘルツ波が放出される。
【００４３】
このテラヘルツ波により、ズボン下が着用されている身体の部分の温度が、例えば、略４℃上昇する。テラヘルツ波は、一般的に、身体の表面のみならず奥まで浸透し、上記の温度上昇の効果を奏することが分かっている。本考案のズボン下を着用することにより、上記の顕著な効果により、着用された身体の部分の保温が促進され、血流が促進されることになる。このような本考案のズボン下を用いることで、例えば、下半身の保温が促進され健康維持などが期待できるものである。
【００４４】
本考案のマフラーは、上記の植物性ブラックケイ素が混在されている繊維製品素材を用いて形成されている。このような構成を有する本考案のマフラーは、身体に着用することにより、体温で上昇し、この上昇により植物性ブラックケイ素の温度が、２６．５℃以上になり、この植物性ブラックケイ素からテラヘルツ波が放出される。
【００４５】
このテラヘルツ波により、マフラーが着用されている身体の部分の温度が、例えば、略４℃上昇する。テラヘルツ波は、一般的に、身体の表面のみならず奥まで浸透し、上記の温度上昇の効果を奏することが分かっている。本考案のマフラーを着用することにより、上記の顕著な効果により、着用された身体の部分の保温が促進され、血流が促進されることになる。このような本考案のマフラーを用いることで、例えば、首回り保温が促進され健康維持、風邪の予防や抑制などが期待できるものである。
【００４６】
本考案の腹巻は、上記の植物性ブラックケイ素が混在されている繊維製品素材を用いて形成されている。このような構成を有する本考案の腹巻は、身体に着用することにより、体温で上昇し、この上昇により植物性ブラックケイ素の温度が、２６．５℃以上になり、この植物性ブラックケイ素からテラヘルツ波が放出される。
【００４７】
このテラヘルツ波により、腹巻が着用されている身体の部分の温度が、例えば、略４℃上昇する。テラヘルツ波は、一般的に、身体の表面のみならず奥まで浸透し、上記の温度上昇の効果を奏することが分かっている。本考案の腹巻を着用することにより、上記の顕著な効果により、着用された身体の部分の保温が促進され、血流が促進されることになる。このような本考案の腹巻を用いることで、例えば、腹回りの保温が促進され健康維持などが期待できるものである。
【００４８】
本考案の手袋は、上記の植物性ブラックケイ素が混在されている繊維製品素材を用いて形成されている。このような構成を有する本考案の手袋は、身体に着用することにより、体温で上昇し、この上昇により植物性ブラックケイ素の温度が、２６．５℃以上になり、この植物性ブラックケイ素からテラヘルツ波が放出される。
【００４９】
このテラヘルツ波により、手袋が着用されている手の部分の温度が、例えば、略４℃上昇する。テラヘルツ波は、一般的に、身体の表面のみならず奥まで浸透し、上記の温度上昇の効果を奏することが分かっている。本考案の手袋を着用することにより、上記の顕著な効果により、着用された身体の部分の保温が促進され、血流が促進されることになる。このような本考案の手袋を用いることで、例えば、手及び手指の保温が促進され健康維持などが期待できるものである。
【００５０】
本考案の靴中敷きは、上記の植物性ブラックケイ素が混在されている繊維製品素材を用いて形成されている。このような構成を有する本考案の靴中敷きは、靴に用いることにより、靴を履いている状態で足裏の温度が上昇し、この上昇により植物性ブラックケイ素の温度が、２６．５℃以上になり、この植物性ブラックケイ素からテラヘルツ波が放出される。
【００５１】
このテラヘルツ波により、靴中敷きが着用されている身体の部分の温度が、例えば、略４℃上昇する。テラヘルツ波は、一般的に、身体の表面のみならず奥まで浸透し、上記の温度上昇の効果を奏することが分かっている。本考案の靴中敷きを用いることにより、上記の顕著な効果を有し、足裏の部分の保温が促進され、血流が促進されることになる。このような本考案の靴中敷きを用いることで、例えば、足の保温が促進され健康維持などが期待できるものである。
【００５２】
本考案は、上記のとおり植物性ブラックケイ素に着目し、これを使用することを具現化したものである。この植物性ブラックケイ素は、上記の高温で燃焼した籾殻から抽出されており、純度のよいものを抽出するための高温であるが、燃焼温度はこれに限定されず、例えば、籾殻の燃料温度を、略１６００℃以上としてもよく、また略１３００℃以下としてもよく、適宜最適な燃焼温度に設定するとよい。
【００５３】
本考案は、上記のとおり、大量生産をすることができ、高純度のものを生産できる植物性ブラックケイ素に着目し、開発した繊維製品素材であり、それを用いて具現化した、下着、マスク、靴下、ストッキング、ブラジャー、ズボン下、マフラー、腹巻、手袋及び靴中敷きであり、保温、血流促進などの効果に加え、治癒としての効果も期待できるものであるが、これらに限定されず、他の用途に用いてもよい。
【００５４】
以上、本考案の有する特徴及び優れた点を上記実施形態に記載したが、本考案は、本願の実用新案登録請求の範囲で使用されている言葉を広く一般的な意味に拡張して実施することができる。
【００５５】
また、本考案の上記の繊維製品素材、これを用いた下着、マスク、靴下、ストッキング、ブラジャー、ズボン下、マフラー、腹巻、手袋及び靴中敷きは、大きさ、形状、素材の種類、厚さ、重さなどについては多様な実施形態が可能であり、それらについて本実施形態と異なる形態による実施は、本考案の技術的範囲に含まれる。
【図１】
0003230587.tif 000003
【手続補正書】
【提出日】令和2年11月26日(2020.11.26)
【手続補正１】
【補正対象書類名】実用新案登録請求の範囲
【補正対象項目名】全文
【補正方法】変更
【補正の内容】
【実用新案登録請求の範囲】
【請求項１】
略１３００℃から略１６００℃の高温で燃焼された籾殻から抽出された植物性ブラックケイ素を混在することで形成されている繊維製品素材を用いたマスク。
【請求項２】
前記繊維製品素材は、不織布、織物または編物であり、シート状に形成されていることを特徴とする請求項1に記載のマスク。